(57)【特許請求の範囲】
【請求項１】
下床版、上床版およびウェブを有するコンクリート製の箱桁を構築する方法であって、
前記下床版の計画位置を挟んで両側に支持架構を構築するとともに、前記支持架構間に支持桁を架設する支持構造体構築工程と、
前記ウェブの計画位置の上方に通路構造体を配置し、当該通路構造体を前記支持桁に支持させる足場設置工程と、
前記ウェブの計画位置に合わせてウェブ用型枠およびウェブ用鉄筋を配置する打設準備工程と、
前記下床版の計画位置にコンクリートを打設するとともに、前記通路構造体を作業足場として利用しつつ前記ウェブの計画位置にコンクリートを打設する第一打設工程と、
前記通路構造体および前記支持桁を撤去する足場撤去工程と、
前記上床版の計画位置にコンクリートを打設する第二打設工程と、を含むことを特徴とする箱桁の構築方法。
【請求項２】
前記通路構造体に開口部を設けておき、前記開口部が前記ウェブの計画位置の真上に位置するように前記通路構造体を配置することを特徴とする請求項１に記載の箱桁の構築方法。
【請求項３】
前記打設準備工程では、前記支持桁を基準にして前記ウェブ用型枠および前記ウェブ用鉄筋の位置決めを行うことを特徴とする請求項１または請求項２に記載の箱桁の構築方法。
【請求項４】
立上部を有するコンクリート構造物を構築する方法であって、
前記立上部の計画位置を跨ぐように支持構造体を構築する支持構造体構築工程と、
前記立上部の計画位置の上方に通路構造体を配置し、当該通路構造体を前記支持構造体に支持させる足場設置工程と、
前記立上部の計画位置に合わせて立上部用型枠および立上部用鉄筋を配置する打設準備工程と、
前記通路構造体を作業足場として利用しつつ前記立上部の計画位置にコンクリートを打設する打設工程と、を含むことを特徴とするコンクリート構造物の構築方法。
【請求項５】
立上部を有するコンクリート構造物を構築する際に使用される足場構造であって、
前記立上部の計画位置を跨ぐように配置された支持構造体と、
前記支持構造体に支持された通路構造体とを備え、
前記通路構造体を、前記立上部の計画位置の上方に位置させたことを特徴とする足場構造。
【請求項６】
前記通路構造体に開口部を設け、前記立上部の計画位置の真上に前記開口部を位置させたことを特徴とする請求項５に記載の足場構造。
【請求項７】
前記通路構造体は、隙間をあけて並設された一対の足場板と、前記隙間を覆う蓋板とを備えており、
前記立上部の計画位置の真上に前記隙間を位置させたことを特徴とする請求項５に記載の足場構造。
【請求項８】
前記支持構造体は、前記立上部の計画位置を挟んで両側に構築された支持架構と、当該支持架構間に架設された支持桁とを備えて構成されていることを特徴とする請求項５乃至請求項７のいずれか一項に記載の足場構造。
【発明の詳細な説明】
【技術分野】
【０００１】
本発明は、箱桁の構築方法およびコンクリート構造物の構築方法に関し、さらには、コンクリート構造物を構築する際に使用される足場構造に関する。
【背景技術】
【０００２】
下床版、上床版およびウェブ（立上部）を有するコンクリート製の箱桁の構築方法は、下床版の計画位置に合わせて下床版用型枠を配置する工程と、ウェブ用型枠やウェブ用鉄筋などを組み立てる工程と、下床版およびウェブの計画位置にコンクリートを打設する工程と、上床版の計画位置に合わせて上床版用型枠を設置する工程と、上床版の計画位置にコンクリートを打設する工程とを含むものが一般的である。
【０００３】
箱桁を構築する際に、ウェブ用型枠の上端に載置した足場板を作業通路や作業スペースとして利用すると、ウェブの幅（厚さ）程度のスペースしか確保することができないことから、多くの作業員が同時並行的に作業を行うコンクリート打設時などにおいては、作業員の移動や作業を妨げてしまう虞がある。
【０００４】
上記の問題は、立上部を有するコンクリート構造物を構築する場合にも当てはまる問題であるが、この種のコンクリート構造物を構築する際に使用される足場構造としては、特許文献１や特許文献２に開示されたものがある。
【０００５】
【特許文献１】特開２０００−３４５６９７号公報
【特許文献２】特開平１１−２２９６１４号公報
【発明の開示】
【発明が解決しようとする課題】
【０００６】
特許文献１には、地中梁（立上部）の鉄筋に足場板を取り付けた足場構造が開示されているが、この足場構造は、鉄筋を組み立てた後に構築されるものであるから、鉄筋を組み立てる際に利用できないという問題がある。また、特許文献１の足場構造では、地中梁の幅程度の作業スペースしか確保することができないことから、その構築作業の効率化には限界がある。
【０００７】
特許文献２には、壁体（立上部）の型枠に足場板を取り付けた足場構造が開示されている。この足場構造は、コンクリートの打設作業を行う際に使用されるものであるが、型枠を建て込んだ後に構築されるものであるから、鉄筋や型枠の組立作業に利用できないという問題がある。また、特許文献２の足場構造は、足場板を片持ち支持するものであるから、幅広の作業スペースを確保し難いという問題がある。
【０００８】
このような観点から、本発明は、下床版、上床版およびウェブを有するコンクリート製の箱桁を効率よく構築することができる方法を提供することを課題とし、さらには、立上部を有するコンクリート構造物を効率よく構築することができる方法を提供することを課題とする。加えて、本発明は、立上部を有するコンクリート構造物の構築作業を効率よく行えるようになる足場構造を提供することを課題とする。
【課題を解決するための手段】
【０００９】
このような課題を解決する本発明に係る箱桁の構築方法は、下床版、上床版およびウェブを有するコンクリート製の箱桁を構築する方法であって、前記下床版の計画位置を挟んで両側に支持架構を構築するとともに、前記支持架構間に支持桁を架設する支持構造体構築工程と、前記ウェブの計画位置の上方に通路構造体を配置し、当該通路構造体を前記支持桁に支持させる足場設置工程と、前記ウェブの計画位置に合わせてウェブ用型枠およびウェブ用鉄筋を配置する打設準備工程と、前記下床版の計画位置にコンクリートを打設するとともに、前記通路構造体を作業足場として利用しつつ前記ウェブの計画位置にコンクリートを打設する第一打設工程と、前記通路構造体および前記支持桁を撤去する足場撤去工程と、前記上床版の計画位置にコンクリートを打設する第二打設工程と、を含むことを特徴とするものである。
【００１０】
本発明によれば、ウェブ用型枠やウェブ用鉄筋を組み立てる前に、ウェブの計画位置の上方に作業足場が確保されるので、ウェブ用型枠やウェブ用鉄筋の設置・組立作業を効率よく行うことが可能になるとともに、上下作業を安全に行うことが可能になり、ひいては、効率よく箱桁を構築することが可能になる。しかも、本発明によれば、下床版用型枠や下床版用鉄筋の上を歩行せずともウェブ用型枠やウェブ用鉄筋等を搬入することが可能になるので、下床版用鉄筋が配筋された状態であっても、迅速かつ安全に搬入作業を行うことが可能になる。
【００１１】
本発明においては、前記通路構造体に開口部を設けておき、前記開口部が前記ウェブの計画位置の真上に位置するように前記通路構造体を配置することが望ましい。このようにすると、ウェブの計画位置の真上からコンクリートの打設作業や締固め作業を行うことが可能になるので、打設作業等を効率よく且つ迅速に行うことが可能になる。
【００１２】
前記打設準備工程では、前記支持桁を基準にして前記ウェブ用型枠および前記ウェブ用鉄筋の位置決めを行うことが望ましい。このようにすると、ウェブ用型枠およびウェブ用鉄筋の設置精度を向上させることが可能になる。
【００１３】
なお、本発明は、箱桁に限らず、立上部を有するコンクリート構造物にも適用することができる。すなわち、前記した課題を解決する本発明に係るコンクリート構造物の構築方法は、立上部を有するコンクリート構造物を構築する方法であって、前記立上部の計画位置を跨ぐように支持構造体を構築する支持構造体構築工程と、前記立上部の計画位置の上方に通路構造体を配置し、当該通路構造体を前記支持構造体に支持させる足場設置工程と、前記立上部の計画位置に合わせて立上部用型枠および立上部用鉄筋を配置する打設準備工程と、前記通路構造体を作業足場として利用しつつ前記立上部の計画位置にコンクリートを打設する打設工程と、を含むことを特徴とする。
【００１４】
本発明によれば、立上部用型枠や立上部用鉄筋を組み立てる前から、立上部の計画位置の上方に作業足場が確保されるので、立上部用型枠や立上部用鉄筋の設置・組立作業を効率よく行うことが可能になるとともに、上下作業を安全に行うことが可能になり、ひいては、立上部を有するコンクリート構造物を効率よく構築することが可能になる。
【００１５】
また、前記した課題を解決する本発明に係る足場構造は、立上部を有するコンクリート構造物を構築する際に使用される足場構造であって、前記立上部の計画位置を跨ぐように配置された支持構造体と、前記支持構造体に支持された通路構造体とを備え、前記通路構造体を、前記立上部の計画位置の上方に位置させたことを特徴とする。
【００１６】
本発明によれば、コンクリート構造物の立上部を跨ぐように配置した支持構造体によって通路構造体が支持されているので、立上部用型枠や立上部用鉄筋の位置や形状に囚われることなく通路構造体の幅寸法を設定することが可能になる。つまり、本発明によれば、立上部の計画位置の上方に幅広の作業足場を確保することが可能になるので、立上部の計画位置に対するコンクリートの打設作業等を効率よく行うことが可能になり、ひいては、コンクリート構造物を効率よく構築することが可能になる。
【００１７】
前記通路構造体に開口部を設け、前記立上部の計画位置の真上に前記開口部を位置させることが望ましい。このようにすると、立上部の計画位置の真上からコンクリートの打設作業や締固め作業を行うことが可能になるので、打設作業等を効率よく且つ迅速に行うことが可能になる。
【００１８】
前記通路構造体は、例えば、隙間をあけて並設された一対の足場板と、前記隙間を覆う蓋板とで構成することができる。この場合には、前記立上部の計画位置の真上に前記隙間を位置させることが望ましい。このようにすると、蓋板を開扉もしくは取り外したときに、立上部の計画位置の真上に開口部が現れるようになるので、立上部の計画位置の真上からコンクリートの打設作業や締固め作業を行うことが可能になる。
【００１９】
また、支持構造体の構成に制限はないが、例えば、前記立上部の計画位置を挟んで両側に構築された支持架構と、当該支持架構間に架設された支持桁とにより構成することができる。このようにすると、支持桁を基準にして鉄筋や型枠の位置決め等を行うことが可能になるので、鉄筋や型枠の設置精度を向上させることが可能になる。
【発明の効果】
【００２０】
本発明に係る箱桁の構築方法によれば、効率よく箱桁を構築することが可能になる。同様に、本発明に係るコンクリート構造物の構築方法によれば、立上部を有するコンクリート構造物を効率よく構築することが可能になる。また、本発明に係る足場構造によれば、立上部を有するコンクリート構造物の構築作業を効率よく行えるようになる。
【発明を実施するための最良の形態】
【００２１】
本発明を実施するための最良の一形態を、添付した図面を参照しつつ詳細に説明する。
本実施形態に係るコンクリート構造物の構築方法は、図１に示すように、足場構造Ａを利用するものである。なお、本実施形態に係るコンクリート構造物は、図１０に示すように、橋梁の上部構造を構成するプレストレストコンクリート製の箱桁Ｈである。本実施形態で例示する箱桁Ｈは、下床版１と、この下床版１から立ち上がるウェブ（立上部）２，２，…と、ウェブ２，２，…の上端部に設けられた上床版３を備えている。
【００２２】
まず、図１乃至図３を参照して足場構造Ａの構成を詳細に説明する。
図１に示すように、足場構造Ａは、下床版１の計画位置およびウェブ２，２，…の計画位置を跨ぐように配置された支持構造体１０と、この支持構造体１０に支持された通路構造体２０，２０，…とを備えている。本実施形態の足場構造Ａは、箱桁Ｈの計画位置を挟んで対向する枠組足場Ｗ，Ｗの間に構築されている。
【００２３】
なお、下床版１の計画位置とは、下床版１の構築予定位置のことであり、この構築予定位置に合わせて下床版用型枠１ａおよび下床版用鉄筋１ｂが配置される。また、ウェブ２の計画位置とは、ウェブ２の構築予定位置のことであり、この構築予定位置に合わせてウェブ２の計画位置に合わせてウェブ用型枠（立上部用型枠）２ａおよびウェブ用鉄筋（立上部用鉄筋）２ｂが配置される。
【００２４】
支持構造体１０は、ウェブ用型枠２ａおよびウェブ用鉄筋２ｂを組み立てる前に構築される正面視門型の仮設構造体であり、下床版１の計画位置およびウェブ２，２，…の計画位置を挟んで両側に構築された支持架構１１，１１と、この支持架構１１，１１間に架設された支持桁１２とを備えて構成されている。
【００２５】
支持架構１１は、最も外側に位置するウェブ２のさらに外側に構築される仮設の架構であり、下床版１の計画位置およびウェブ２，２，…の計画位置を挟んで他の支持架構１１と対峙している。支持架構１１は、最も外側のウェブ２から離れた位置に構築されており、ウェブ用型枠２ａおよびウェブ用鉄筋２ｂから独立している。すなわち、支持架構１１は、ウェブ用型枠２ａおよびウェブ用鉄筋２ｂに支持されていない。支持架構１１の構成に制限はなく、施工現場の状況等に適したものを選定すればよいが、本実施形態のものは、図２にも示すように、パイプサポートなどからなる支柱１１ａ，１１ａ，…と、これらの上端に架設される受梁１１ｂ，１１ｂとを備えて構成されている。なお、本実施形態の支持架構１１は、最も外側のウェブ用型枠２ａと枠組足場Ｗとの間に位置し、かつ、梁支柱式支保工の梁Ｓ上に構築されているが、支持架構１１の位置や支保工の形式を限定する趣旨ではない。
【００２６】
支持桁１２は、左右の支持架構１１，１１間に架設された仮設材であり、ウェブ２，２，…の計画位置の上方に配置されている。すなわち、支持桁１２は、ウェブ用鉄筋２ｂの上端から上方に離間した位置に配置されており、ウェブ用型枠２ａやウェブ用鉄筋２ｂから独立している。本実施形態の支持桁１２は、上床版３の上面と平行に配置されており、上床版３の片勾配と等しい勾配で傾斜している。支持桁１２の構成に制限はなく、施工現場の状況等に適したものを選定すればよいが、本実施形態のものは、Ｈ型鋼からなる（図２参照）。なお、本実施形態の支持桁１２は、上床版３の計画位置と重なる位置に配置されているが、上床版３の計画位置の上方に配置しても差し支えない。
【００２７】
通路構造体２０は、作業足場となるものであって、ウェブ２の計画位置の上方に配置されている。通路構造体２０は、橋軸方向（図１の紙面垂直方向）に延在するものであって、橋軸方向に隣り合う支持桁１２，１２間に架設されている（図３の（ａ）参照）。本実施形態の通路構造体２０は、図２に示すように、隙間Ｖをあけて並設された一対の足場板２１，２２と、隙間Ｖを覆う蓋板２３，２３，…とを備えて構成されている。なお、通路構造体２０の幅方向（短手方向）の端部には、鋼製の幅木２５が立設されており、幅木２５の内側の適所には、手摺用ベース２６が立設されている。
【００２８】
左側の足場板２１は、ウェブ２の上端部の計画位置の左斜め上方に配置されていて（図１参照）、かつ、ウェブ２の延在方向（橋軸方向）に延在している。本実施形態の足場板２１は、図３の（ａ）および（ｂ）に示すように、左右一対の縦材２１ａ，２１ａを複数の横材２１ｂ，２１ｂ，…で繋いで形成した梯子状の枠体上に敷設されている。足場板２１、縦材２１ａ、横材２１ｂ、幅木２５および手摺用ベース２６は、一括して搬入・設置できるように、予めユニット化されている。なお、縦材２１ａおよび横材２１ｂを省略し、足場板２１を支持桁１２に直接載置してもよい。
【００２９】
右側の足場板２２は、図１に示すように、ウェブ２の上端部の計画位置の右斜め上方に配置されていて、かつ、ウェブ２の延在方向（橋軸方向）に延在している。すなわち、右側の足場板２２は、図３の（ａ）および（ｂ）に示すように、橋軸方向（図１の紙面垂直方向）に延びる帯状の隙間Ｖを隔てて左側の足場板２１と並んでいる。本実施形態の足場板２２は、もう一方の足場板２１と同様に、左右一対の縦材２２ａ，２２ａを複数の横材２２ｂ，２２ｂ，…で繋いで形成した梯子状の枠体上に敷設されている。足場板２２、縦材２２ａ、横材２２ｂ、幅木２５および手摺用ベース２６は、一括して搬入・設置できるように、予めユニット化されている。なお、右側の足場板２２の幅寸法が、左側の足場板２１よりも小さくなっているが、足場板２２の幅寸法を限定する趣旨ではない。図示は省略するが、右側の足場板２２の幅寸法を左側の足場板２１の幅寸法以上としても差し支えない。また、縦材２２ａおよび横材２２ｂを省略し、足場板２２を支持桁１２に直接載置してもよい。
【００３０】
なお、左右の足場板２１，２２の間に確保された帯状の隙間Ｖは、通路構造体２０の開口部となるものであり、ウェブ２の計画位置の真上に位置し、橋軸方向（ウェブ２の延在方向）に連続している。
【００３１】
ちなみに、足場板２１，２２の材質に制限はなく、鋼製、アルミニウム合金製、木製などとすることができる。また、本実施形態では、平板からなる足場板２１，２２を例示しているが、網材やグレーチングを足場板２１，２２としてもよいし、既製品の足場板を利用しても差し支えない。
【００３２】
蓋板２３は、開閉可能な状態で左右の足場板２１，２２間に配置されている。本実施形態の蓋板２３は、平面視矩形を呈する鋼板からなり、通常時には縦材２１ａ，２２ａに載置されているが、蝶番２４，２４を介して一方の足場板２１に固定されていて、蝶番２４の回転軸回りに約１８０度の範囲で回動する。すなわち、蓋板２３は、通常時には閉扉されていて、隙間Ｖを覆っているが、コンクリート打設時や点検時などに開扉される。蓋板２３が開扉されると、隙間Ｖが露出し、通路構造体２０を上下に貫通する開口部が出現する。
【００３３】
なお、本実施形態では、橋軸方向に連設された複数の蓋板２３，２３，…により、橋軸方向に連続する帯状の隙間Ｖの全域を覆っているが、蓋板２３の枚数等を限定する趣旨ではない。また、本実施形態では、平板からなる蓋板２３を例示しているが、グレーチングや孔あき鋼板等を蓋板としても差し支えない。また、本実施形態では、回動可能な蓋板２３を例示しているが、蝶番２４，２４を省略し、着脱可能な構成としても差し支えない。
【００３４】
次に、本実施形態に係る箱桁の構築方法を説明する。
本実施形態に係る箱桁の構築方法は、支持構造体構築工程と、足場設置工程と、第一打設準備工程と、第一打設工程と、第一型枠解体工程、足場撤去工程と、第二打設準備工程と、第二打設工程と、第二型枠解体工程と、を含むものである。
【００３５】
なお、図４に示すように、支持構造体構築工程に先立って、まず、箱桁Ｈの計画位置の下側に下床版用型枠１ａを構築する。本実施形態の下床版用型枠１ａは、梁支柱式支保工の梁Ｓ上に構築される型枠支保工と、この型枠支保工上に敷設される堰板とを備えて構成されている。
【００３６】
（支持構造体構築工程）
支持構造体構築工程は、図５に示すように、下床版１の計画位置およびウェブ２，２，…の計画位置を跨ぐように正面視門形の支持構造体１０を構築する工程である。具体的には、下床版１の計画位置およびウェブ２，２，…の計画位置を挟んで両側（すなわち、下床版用型枠１ａの両側）に、ウェブ２の計画高さを超える高さまで支持架構１１，１１を構築し、その後、支持架構１１，１１間に支持桁１２を架設すればよい。なお、図示は省略するが、下床版用型枠１ａを構築する前に、支持架構１１を構築しておき、下床版用型枠１ａを構築する際の作業通路として利用してもよい。
【００３７】
（足場設置工程）
足場設置工程は、図６に示すように、ウェブ２，２，…の計画位置のそれぞれの上方に作業足場となる通路構造体２０を配置し、橋軸方向（図６において紙面垂直方向）に間隔をあけて配置された支持桁１２，１２に通路構造体２０を支持させる工程である。具体的には、左側の足場板２１を含むユニットおよび右側の足場板２２を含むユニットをそれぞれ支持桁１２，１２間に架設し、クランプ等の治具を用いて支持桁１２の上面に固定すればよい。なお、蓋板２３は、一方の足場板２１に予め取り付けておく。
【００３８】
足場設置工程では、ウェブ２の上端部の鉛直上方に帯状の隙間Ｖ（図３の（ａ）参照）が形成されるように足場板２１，２２を配置する。すなわち、足場設置工程では、橋軸直角方向（支持桁２の長手方向）に間隔をあけて足場板２１，２２を並設し、ウェブ２の上端部の鉛直上方に蓋板２３，２３，…を位置させる。
【００３９】
通路構造体２０（作業足場）を設置したら、その幅方向の縁部に設けた手摺用ベース２６（図２参照）を利用して手摺３０を設置し、さらに必要に応じて、橋軸直角方向に隣り合う通路構造体２０，２０を結ぶ連絡通路や、通路構造体２０または連絡通路から下床版用型枠１ａ上に至る昇降階段などを付設する。なお、図示は省略するが、通路構造体２０，２０を結ぶ連絡通路は、支持桁１２上に設けることが望ましく、下床版用型枠１ａに至る昇降階段は、支持桁１２に支持させることが望ましい。
【００４０】
（第一打設準備工程）
第一打設準備工程は、図７に示すように、下床版１の計画位置に合わせて下床版用鉄筋１ｂおよび図示せぬＰＣ鋼材用シース管を配置するとともに、ウェブ２，２，…の計画位置に合わせてウェブ用型枠２ａ，２ａ，…、ウェブ用鉄筋２ｂ，２ｂ，…および図示せぬＰＣ鋼材用シース管を配置する工程であって、足場設置工程の後に行われる。第一打設準備工程で使用する資材等は、足場設置工程で設置した通路構造体２０（作業足場）、連絡通路、昇降階段などを利用して搬入するか、あるいは、通路構造体２０（作業足場）上に仮置きしておく。
【００４１】
第一打設準備工程では、支持桁１２を基準にしてウェブ用型枠２ａおよびウェブ用鉄筋２ｂの位置決めを行うことが望ましい。具体的には、測量機器を用いて支持桁１２の座標や標高等を測量しておき、支持桁１２からの下り寸法等を巻尺等により直接測量するか、あるいは、棒状部材Ｇを支持桁１２の所定位置に取り付け、棒状部材Ｇからの下り寸法や離隔寸法等を巻尺等により測量すればよい。
【００４２】
（第一打設工程）
第一打設工程は、図８に示すように、下床版１の計画位置にコンクリートＣを打設するとともに、通路構造体２０を作業足場として利用しつつウェブ２の計画位置にコンクリートＣを打設する工程であって、第一打設準備工程の後に行われる。ウェブ２の計画位置にコンクリートＣを打設する際には、作業員は、足場板２１，２２に載って作業を行う。具体的には、通路構造体２０の蓋板２３，２３，…を開扉して隙間Ｖ（開口部）を出現させ、この隙間Ｖにコンクリート圧送配管Ｐや図示せぬバイブレータを挿通する。本実施形態においては、帯状の隙間Ｖがウェブ２の上端部の鉛直上方に位置しているので、コンクリート圧送配管Ｐ等を隙間Ｖに挿通した後は、これを鉛直下方に降下させるだけで、ウェブ用型枠２ａ，２ａの上端開口部にコンクリート圧送配管Ｐを挿入することができる。
【００４３】
隙間Ｖ（開口部）を出現させる範囲（開扉する蓋板２３の枚数）に制限はないが、複数の蓋板２３，２３，…を連続して開扉し、コンクリート打設を行う範囲の全体に亘って隙間Ｖを出現させることが望ましい。このようにすると、コンクリート圧送配管Ｐ等を隙間Ｖに挿通した状態で、コンクリート圧送配管Ｐ等を橋軸方向に移動させることができるので、作業効率が向上する。
【００４４】
なお、下床版１の計画位置へのコンクリート打設作業は、下床版用型枠１ａまたは下床版用鉄筋１ｂ（図７参照）に載って行ってもよいが、通路構造体２０（作業足場）や連絡通路を作業足場として利用しつつ行ってもよい。
【００４５】
（第一型枠解体工程）
第一型枠解体工程は、ウェブ用型枠２ａ，２ａ，…を脱型する工程であり、第一打設工程で打設したコンクリートＣが所定の強度に硬化した後に行われる。脱型したウェブ用型枠２ａは、通路構造体２０（作業足場）などを利用して搬出する。
【００４６】
なお、第一型枠解体工程と並行して若しくは第一型枠解体工程の終了後に、上床版用型枠３ａ（図９参照）の一部である型枠支保工を構築しておく。型枠支保工の構築に必要な資材等は、通路構造体２０（作業足場）を利用して搬入することができる。
【００４７】
（足場撤去工程）
足場撤去工程は、支持桁１２および通路構造体２０を撤去する工程である。なお、本実施形態では、支持架構１１を上床版用型枠３ａの型枠支保工として利用するので（図９参照）、撤去せずに残置するが、不要であれば撤去してもよい。
【００４８】
（第二打設準備工程）
第二打設準備工程は、図９に示すように、下床版１上に立設した型枠支保工上に堰板を敷設して上床版用型枠３ａを完成させるとともに、上床版３の計画位置に合わせて図示せぬ上床版用鉄筋を配置する工程であって、足場撤去工程の後に行われる。なお、第二打設準備工程では、上床版用型枠３ａの堰板を作業足場として利用する。
【００４９】
（第二打設工程）
第二打設工程は、上床版３の計画位置にコンクリートを打設する工程であって、第二打設準備工程の後に行われる。上床版３の計画位置にコンクリートを打設する際には、作業員は、上床版用鉄筋（図示略）上に設けた足場板（図示略）等に載って作業を行う。
【００５０】
（第二型枠解体工程）
第二型枠解体工程は、上床版用型枠３ａ，３ａ，…を脱型する工程であり（図１０参照）、第二打設工程で打設したコンクリートが所定の強度に硬化した後に行われる。
【００５１】
その後、下床版１およびウェブ２，２，…の適所に埋設したＰＣ鋼材用シース管にＰＣ鋼材を挿通するとともに、これを緊張する。
【００５２】
以上説明した本実施形態に係る箱桁の構築方法によれば、ウェブ用型枠２ａやウェブ用鉄筋２ｂを組み立てる前に、ウェブ２の計画位置の上方に作業足場が確保されるので、ウェブ用型枠２ａやウェブ用鉄筋２ｂの設置・組立作業を効率よく行うことが可能になるとともに、上下作業を安全に行うことが可能になり、ひいては、箱桁Ｈを効率よく構築することが可能になる。しかも、本実施形態に係る箱桁の構築方法によれば、下床版用型枠１ａや下床版用鉄筋１ｂの上を歩行せずともウェブ用型枠２ａやウェブ用鉄筋２ｂ等を搬入することが可能になるので、下床版用鉄筋１ｂが配筋された状態であっても、迅速かつ安全に搬入作業を行うことが可能になる。
【００５３】
また、第一打設準備工程において、支持桁１２を基準にしてウェブ用型枠２ａおよびウェブ用鉄筋２ｂの位置決めを行うこととしたので、ウェブ用型枠２ａおよびウェブ用鉄筋２ｂの設置精度を向上させることが可能になる。
【００５４】
また、本実施形態に係る足場構造Ａによれば、ウェブ用型枠２ａやウェブ用鉄筋２ｂから独立した支持桁１２で通路構造体２０が支持されているので、ウェブ２の幅（厚さ）に囚われることなく通路構造体２０の幅寸法を設定することができる。つまり、本実施形態に係る足場構造Ａによれば、ウェブ２の計画位置の上方に幅広の作業足場を確保することが可能になるので、ウェブ２の計画位置に対するコンクリートの打設作業等を効率よく行うことが可能になり、ひいては、効率よく箱桁Ｈを構築することが可能になる。また、支持桁１２に作用した荷重が下床版用型枠１ａやウェブ用型枠２ａに作用することがないので、通路構造体２０の最大積載荷重を大きくすることができ、したがって、通路構造体２０を資材の仮置きスペースとして利用することもできる。
【００５５】
また、通路構造体２０に設けた帯状の隙間Ｖ（開口部）をウェブ２の計画位置の真上に位置させているので、ウェブ２の計画位置の真上からコンクリートの打設作業や締固め作業を行うことが可能になり、ひいては、打設作業等を効率よく且つ迅速に行うことが可能になる。
【００５６】
なお、本実施形態では、立上部を有するコンクリート構造物として、箱桁を例示したが、本発明の適用範囲を限定する趣旨ではない。図示は省略するが、立上部である側壁を有するボックスカルバートや掘割構造物などにも適用することができる。
【００５７】
また、本実施形態では、支持架構１１が仮設の架構である場合を例示したが、構築対象のコンクリート構造物の周囲に既設の本設構造物が存在している場合には、この本設構造物を支持架構としてもよい。
【図面の簡単な説明】
【００５８】
【図１】本発明の一実施形態に係る足場構造および箱桁の構築方法を説明するための断面図である。
【図２】通路構造体の構成を説明するための斜視図である。
【図３】（ａ）は通路構造体の一部破断平面図、（ｂ）は（ａ）のＸ−Ｘ断面図である。
【図４】本発明の一実施形態に係る箱桁の構築方法を説明するための断面図である。
【図５】図４に続く工程を説明するための断面図である。
【図６】図５に続く工程を説明するための断面図である。
【図７】図６に続く工程を説明するための断面図である。
【図８】図７に続く工程を説明するための断面図である。
【図９】図８に続く工程を説明するための断面図である。
【図１０】図９に続く工程を説明するための断面図である。
【符号の説明】
【００５９】
Ｈ    箱桁（コンクリート構造物）
１    下床版
１ａ  下床版用型枠
１ｂ  下床版用鉄筋
２    ウェブ（立上部）
２ａ  ウェブ用型枠（立上部用型枠）
２ｂ  ウェブ用鉄筋（立上部用鉄筋）
３    上床版
３ａ  上床版用型枠
３ｂ  上床版用鉄筋
Ａ    足場構造
１０  支持構造体
１１  支持架構
１２  支持桁
２０  通路構造体
２１，２２  足場板
２３  蓋板
Ｖ    隙間（開口部）
【図１】
0005038964.tif 000002
【図２】
0005038964.tif 000003
【図３】
0005038964.tif 000004
【図４】
0005038964.tif 000005
【図５】
0005038964.tif 000006
【図６】
0005038964.tif 000007
【図７】
0005038964.tif 000008
【図８】
0005038964.tif 000009
【図９】
0005038964.tif 000010
【図１０】
0005038964.tif 000011